(57)【要約】【課題】導光部材における照度分布の一層の均一化及び高照度化を図り得る光源モジュール及びそれを用いた照明装置を提供する。【解決手段】光源モジュール１０は、導光部材１と、導光部材１の少なくとも一方の端面から導光部材１の内部へ光を入射させる光源４とを備える。導光部材１の表面における少なくとも一部分には、導光部材１の内部に入射され、かつ導光部材１の内部で拡散された光を導光部材１の上面１ａから放射させる筋状の放射部材２が、導光部材１において光源４側の端部から遠ざかるに伴って高密度となるように複数配されている。筋状の放射部材２は、少なくとも２種類の異なる方向に延びて設けられ、かつ互いに交差する印刷パターン２ａ・２ｂから構成されている。【選択図】図１
2010257768.tif 000002
【特許請求の範囲】
【請求項１】
導光部材と、上記導光部材の少なくとも一方の端面から該導光部材の内部へ光を入射させる光源とを備えた光源モジュールにおいて、
上記導光部材の表面における少なくとも一部分には、上記導光部材の内部に入射され、かつ該導光部材の内部で拡散された光を該導光部材の表面から放射させる筋状の放射部材が、該導光部材において光源側の端部から遠ざかるに伴って高密度となるように複数配されていると共に、
上記筋状の放射部材は、少なくとも２種類の異なる方向に延びて設けられ、かつ互いに交差する第１筋状放射部材と第２筋状放射部材とから構成されていることを特徴とする光源モジュール。
【請求項２】
前記導光部材は、線状に形成されていると共に、
上記導光部材における前記第１筋状放射部材と第２筋状放射部材とは、互いに斜めに交差するように配されていることを特徴とする請求項１記載の光源モジュール。
【請求項３】
前記第１筋状放射部材と第２筋状放射部材とは、互いに直交するように配されていることを特徴とする請求項１記載の光源モジュール。
【請求項４】
前記導光部材は、線状に形成されていると共に、
上記導光部材における前記第１筋状放射部材は、前記導光部材の長手方向に対して直交するように設けられている一方、
前記第２筋状放射部材は、第１筋状放射部材と直交するように設けられていることを特徴とする請求項３記載の光源モジュール。
【請求項５】
前記第２筋状放射部材は、線状に形成された導光部材において、導光部材の長手方向に平行に複数設けられていることを特徴とする請求項４記載の光源モジュール。
【請求項６】
前記導光部材は、断面四角形状に形成されていると共に、
前記放射部材は、上記導光部材の長手方向に沿う１つの表面に設けられていることを特徴とする請求項２，４又は５記載の光源モジュール。
【請求項７】
前記導光部材の裏面には、反射板が設けられていることを特徴とする請求項６記載の光源モジュール。
【請求項８】
請求項１〜７のいずれか１項に記載の光源モジュールを用いていることを特徴とする照明装置。
【発明の詳細な説明】
【技術分野】
【０００１】
本発明は、導光部材を利用した光源モジュール及びそれを用いた照明装置に関するものである。
【背景技術】
【０００２】
導光部材を利用した面状及び線状の光源モジュールは、液晶テレビ用バックライト、スキャナ、複写機等に用いられている。導光部材を用いた光源モジュールとして、例えば、特許文献１に開示された線状発光装置がある。
【０００３】
上記特許文献１に開示された線状発光装置１００は、図４に示すように、光源１０１の光が一端側から導入される線状導光体１１０を有し、この線状導光体１１０は、長手軸に沿って連続する凸部１１１を備え、該凸部１１１の上面にはその全幅に渡る光拡散反射部１１１ａ…が所定間隔で形成されている。
【０００４】
ここで、線状導光体１１０においては、光源１０１からの距離が遠くなるに伴って照度が低下する。このため、光拡散反射部１１１ａ…を凸部１１１の長手方向において均等に配したのでは、光拡散反射部１１１ａ…から放射される光量も光源１０１からの距離が遠くなるに伴って低下することになり、その結果、線状導光体１１０の光源１０１側近傍と末端とでは線状導光体１１０から放射される照度が異なり、両端では不均一な照度となる。
【０００５】
そこで、この問題を解決するために、上記特許文献１に開示された線状発光装置１００では、複数の光拡散反射部１１１ａ…は、光源１０１から離れるに従い段階的に密度が高くなるように配されている。これにより、光量が不足する傾向のある光源遠位領域における光拡散反射作用を高めることができ、発光ムラの軽減に寄与するとしている。
【０００６】
また、特許文献２に開示された面光源装置２００においても、図５に示すように、導光板２１０の下面に形成された拡散パターン２１１を構成する複数の拡散パターン素子２１１ａの配置方向（長手方向）を拡散パターン素子２１１ａと点光源２０１とを結ぶ方向に対して略９０度となるようにしていると共に、拡散パターン素子２１１ａ…の密度を点光源２０１の近傍で零とし、点光源２０１から離れるに伴って直線的に増加させている。これにより、照度分布の均一化と高照度化とを図るものとなっている。
【先行技術文献】
【特許文献】
【０００７】
【特許文献１】特開２００７−３１４０４８号公報（２００７年１２月６日公開）
【特許文献２】国際公開第９８／１９１０５号パンフレット（１９９８年５月７日国際公開）
【発明の概要】
【発明が解決しようとする課題】
【０００８】
しかしながら、上記従来の特許文献１に開示された線状発光装置１００及び特許文献２に開示された面光源装置２００においては、以下のような問題点を有している。
【０００９】
すなわち、特許文献１に開示された線状発光装置１００及び特許文献２に開示された面光源装置２００では、段階的に密度が高くなるように、いずれも、光源１０１及び点光源２０１から複数の光拡散反射部１１１ａ及び拡散パターン素子２１１ａの配置方向（長手方向）を光源１０１及び点光源２０１とを結ぶ方向に対して略９０度となるように配置している。このため、光拡散反射部１１１ａ及び拡散パターン素子２１１ａの配置が離散的になり、線状導光体１１０及び導光板２１０全体を考えた場合に、照度分布の均一化及び高照度化が不十分であるという問題点を有している。
【００１０】
本発明は、上記従来の問題点に鑑みなされたものであって、その目的は、導光部材における照度分布の一層の均一化及び高照度化を図り得る光源モジュール及びそれを用いた照明装置を提供することにある。
【課題を解決するための手段】
【００１１】
本発明の光源モジュールは、上記課題を解決するために、導光部材と、上記導光部材の少なくとも一方の端面から該導光部材の内部へ光を入射させる光源とを備えた光源モジュールにおいて、上記導光部材の表面における少なくとも一部分には、上記導光部材の内部に入射され、かつ該導光部材の内部で拡散された光を該導光部材の表面から放射させる筋状の放射部材が、該導光部材において光源側の端部から遠ざかるに伴って高密度となるように複数配されていると共に、上記筋状の放射部材は、少なくとも２種類の異なる方向に延びて設けられ、かつ互いに交差する第１筋状放射部材と第２筋状放射部材とから構成されていることを特徴としている。
【００１２】
上記の発明によれば、光源は、導光部材の少なくとも一方の端面から該導光部材の内部へ光を入射させる。導光部材の内部に入射した光は、導光部材の内部を反射しながら拡散すると共に、筋状の放射部材を通して導光部材の表面から放射する。尚、筋状の放射部材にて反射された光が導光部材の裏面から放射される場合もある。
【００１３】
ここで、光源から遠ざかる領域においては筋状の放射部材から放射される光の光量が不足する。本発明では、この光量不足を解消するために、筋状の放射部材は、導光部材において光源側の端部から遠ざかるに伴って高密度となるように複数配されている。これにより、ある程度は、導光部材の照度分布の均一化を図ることができるが、十分ではない。
【００１４】
本発明では、筋状の放射部材は、少なくとも２種類の異なる方向に延びて設けられ、かつ互いに交差する第１筋状放射部材と第２筋状放射部材とから構成されている。
【００１５】
これにより、第１筋状放射部材と第２筋状放射部材との少なくとも一方は、光源から遠ざかる方向の成分を有して延びていることになる。
【００１６】
この結果、従来では、導光部材において光源側の端部から遠ざかるに伴って高密度となるように複数配する場合に、離散的に配していたので、導光部材の照度分布もどうしても離散的であり、均一化に不十分であったのに対して、本願発明では、離散部分を埋めるように筋状の放射部材から放射される。
【００１７】
この結果、従来に比べて、導光部材の照度分布の均一化を図ることができる。また、導光部材における筋状の放射部材の占める割合を増加させることができるため、光取り出し効率を向上させることが可能となり、高照度化を図ることができる。
【００１８】
したがって、導光部材における照度分布の一層の均一化及び高照度化を図り得る光源モジュールを提供することができる。
【００１９】
また、本発明の光源モジュールでは、前記導光部材は、線状に形成されていると共に、上記導光部材における前記第１筋状放射部材と第２筋状放射部材とは、互いに斜めに交差するように配されているとすることができる。
【００２０】
これにより、線状の導光部材において、第１筋状放射部材と第２筋状放射部材とが例えばＸ字状又はＶ字状に配されていることになる。この結果、第１筋状放射部材と第２筋状放射部材とは、光源から遠ざかる方向の成分を有して延びていることになる。
【００２１】
したがって、従来に比べて、導光部材の照度分布の均一化を図ることができる。また、導光部材における筋状の放射部材の占める割合を増加させることができるため、光取り出し効率を向上させることが可能となり、高照度化を図ることができる。
【００２２】
また、本発明の光源モジュールでは、前記第１筋状放射部材と第２筋状放射部材とは、互いに直交するように配されているとすることができる。
【００２３】
尚、このような場合として、例えば、第１筋状放射部材と第２筋状放射部材とがＸ字状又はＶ字状に配されている場合においてその挟角が９０度である場合と、例えば第１筋状放射部材が光源を結ぶ方向に対して直交して配されると共に、第２筋状放射部材がこの第１筋状放射部材に直交して配される場合とである。
【００２４】
これにより、第１筋状放射部材と第２筋状放射部材とが互いに直交していない場合と比較して、光の導光方向において第１筋状放射部材と第２筋状放射部材とのピッチをより細かく制御することが可能となる。
【００２５】
したがって、導光部材における照度分布の一層の均一化及び高照度化を図り得る光源モジュールを提供することができる。
【００２６】
また、本発明の光源モジュールでは、前記導光部材は、線状に形成されていると共に、上記導光部材における前記第１筋状放射部材は、前記導光部材の長手方向に対して直交するように設けられている一方、前記第２筋状放射部材は、第１筋状放射部材と直交するように設けられているとすることができる。
【００２７】
これにより、第１筋状放射部材は、従来のように前記導光部材の長手方向に対して直交するように設けられている一方、第２筋状放射部材は、第１筋状放射部材と直交するように設けられている。
【００２８】
したがって、従来の構成に比べて、確実に、導光部材における照度分布の一層の均一化及び高照度化を図り得る光源モジュールを提供することができる。
【００２９】
また、本発明の光源モジュールでは、前記第２筋状放射部材は、線状に形成された導光部材において、導光部材の長手方向に平行に複数設けられていることが好ましい。
【００３０】
これにより、導光部材における第２筋状放射部材の占める割合を増加させることができるため、光取り出し効率を向上させることが可能となり、高照度化を図ることができる。
【００３１】
また、本発明の光源モジュールでは、前記導光部材は、断面四角形状に形成されていると共に、前記放射部材は、上記導光部材の長手方向に沿う１つの表面に設けられているとすることができる。
【００３２】
これにより、断面四角形状の導光部材の表面に放射部材を印刷して設ける場合に、例えば一回の印刷にて光取り出し効率の大きな光源モジュールを実現することができる。
【００３３】
また、本発明の光源モジュールでは、前記導光部材の裏面には、反射板が設けられているとすることができる。
【００３４】
これにより、導光部材の裏面から出てきた光を、再度、導光部材の表面側に反射させることにより、導光部材の表面での照度を大きくすることができる。
【００３５】
本発明の照明装置は、上記課題を解決するために、上記記載の光源モジュールを用いていることを特徴としている。
【００３６】
上記の発明によれば、導光部材における照度分布の一層の均一化及び高照度化を図り得る光源モジュールを用いた照明装置を提供することができる。
【発明の効果】
【００３７】
本発明の光源モジュールは、以上のように、導光部材の表面における少なくとも一部分には、上記導光部材の内部に入射され、かつ該導光部材の内部で拡散された光を該導光部材の表面から放射させる筋状の放射部材が、該導光部材において光源側の端部から遠ざかるに伴って高密度となるように複数配されていると共に、上記筋状の放射部材は、少なくとも２種類の異なる方向に延びて設けられ、かつ互いに交差する第１筋状放射部材と第２筋状放射部材とから構成されているものである。
【００３８】
また、本発明の照明装置は、以上のように、上記記載の光源モジュールを用いているものである。
【００３９】
それゆえ、導光部材における照度分布の一層の均一化及び高照度化を図り得る光源モジュール及びそれを用いた照明装置を提供するという効果を奏する。
【図面の簡単な説明】
【００４０】
【図１】（ａ）は本発明における光源モジュールの実施の一形態を示すものであって、光源モジュールの構成を示す正面図であり、（ｂ）は光源モジュールの構成を示す平面図である。
【図２】上記光源モジュールの変形例の構成を示す平面図である。
【図３】上記図２に示す放射部材を有する光源モジュールの光利用効率を示す図である。
【図４】従来の光源モジュールの構成を示す平面図である。
【図５】従来の他の光源モジュールの構成を示す平面図である。
【発明を実施するための形態】
【００４１】
本発明の一実施形態について図１〜図３に基づいて説明すれば、以下のとおりである。
【００４２】
図１（ａ）は本実施の形態の光源モジュール１０の概略構成を示す正面図であり、図１（ｂ）は上記光源モジュール１０の概略構成を示すものであって、光源モジュール１０をｚ方向から見た場合の平面図である。
【００４３】
本実施の形態の光源モジュール１０は、図１（ａ）（ｂ）に示すように、導光部材１と、放射部材２と、導光部材１に光を結合させるための反射部品（リフレクタ（reflector：反射鏡））３を含む例えば発光ダイオードからなる光源４とによって構成されている。
【００４４】
上記導光部材１は、幅５ｍｍ×高さ９ｍｍ×長さ３３０ｍｍの例えば四角柱形状にてなり、アクリル樹脂で作製されている。尚、導光部材１の形状は、必ずしも四角柱形状に限らず、放射部材２を印刷することができる断面形状であるなら、如何なる形状であってもよい。また、導光部材１の材料としては、アクリル樹脂の他、ポリスチレン樹脂、メタクリル樹脂、ポリカーボネイト樹脂又はガラス等の透明性が良く、かつ透過率の大きなものを用いればよい。
【００４５】
上記放射部材２は、導光部材１の表面に形成された線状パターンからなっており、例えば断面半円状形状の突起が筋状に複数配されたものとなっている。この筋状パターンからなる放射部材２は、透明樹脂中に拡散微粒子を混ぜ合わせたものからなっており、例えば、スクリーン印刷法によって導光部材１に筋状にパターニングされている。尚、放射部材２は、必ずしも断面半円状形状の突起に限らず、光を拡散しさえすれば良いので、断面半円状形状以外の形状であってもよい。
【００４６】
上記放射部材２のパターン寸法は、ここでは一例として、幅０．２ｍｍ、高さ０．０１ｍｍである。尚、パターン寸法については、パターンを形成する方法、導光部材１の寸法等を考慮して決定すればよく、上記寸法以外のパターンを用いてもよいのは勿論である。
【００４７】
上記放射部材２は、本実施の形態では、図１（ｂ）に示すように、異なる２つの方向に延在する第２筋状放射部材としての印刷パターン２ａと第１筋状放射部材としての印刷パターン２ｂとを組み合わせて形成されている。また、延在する印刷パターン２ａ・２ｂの間隔及び角度を制御することにより、放射部材２のパターン密度を制御している。
【００４８】
本実施の形態における光源モジュール１０では、光源４から離れるに伴って放射部材２のパターン密度が大きくなるように印刷パターン２ａ・２ｂの間隔及び角度を制御している。これらの放射部材２は、照射面上の照度分布が一定となるように、光線追跡の解析ソフトを用いて求めている。
【００４９】
図２に、図１（ａ）（ｂ）に示した放射部材２の変形例である放射部材１２の構成を示す。
【００５０】
放射部材１２は、図２に示すように、印刷パターン１２ａ・１２ｂが導光部材１の長手方向（ｙ方向）と幅方向（ｘ方向）とに延在して形成されており、長手方向（ｙ方向）に平行な第２筋状放射部材としての印刷パターン１２ａと幅方向（ｘ方向）に平行な第１筋状放射部材としての印刷パターン１２ｂとは直交している。
【００５１】
また、放射部材１２において、導光部材１の幅方向（ｘ方向）に平行に延在している印刷パターン１２ｂは、光源４から離れるに伴ってその間隔が密になるように配置されている。さらに、導光部材１の長手方向（ｙ方向）に平行に延在している、複数としての例えば５本の印刷パターン１２ａ…の間隔は一定である。
【００５２】
この放射部材１２の構成によれば、印刷パターン１２ａ・１２ｂを直交させて配置して格子状とすることによって、放射部材２の密度分布を長手方向（ｙ方向）においてより細かく制御することが可能となる。
【００５３】
また、放射部材２・１２を形成する面については、本実施の形態では、図１（ａ）（ｂ）及び図２に示す導光部材１の表面としての上面（光取り出し面）１ａに形成している。
【００５４】
ただし、必ずしもこれに限らず、例えば、導光部材１の裏面としての下面（光取り出し面と平行な面）１ｂに形成してもよい。導光部材１の上面１ａ又は下面１ｂのいずれかの一面に形成した場合は、印刷回数が１回で済むので、好ましい。また、導光部材１の上面１ａ及び下面１ｂの両面に形成してもよい。両面に形成した場合は、大きなパターン占有率（＝パターン面積÷導光部材の表面積）を実現することができるため、かなり大きな光取り出し効率を実現することができる。
【００５５】
また、放射部材２・１２を導光部材１の一部分だけに形成しても差し支えない。さらに、放射部材２は、図１（ａ）（ｂ）及び図２に示したもの以外にも、矩形のパターンを形成してもよいし、ジグザグ形状等にしてもよい。
【００５６】
上記放射部材２・１２を形成することによって、印刷にて形成可能な最小ピッチ条件を満足しつつ、図４に示す従来のパターン構造では実現できなかった、大きなパターン占有率（＝パターン面積÷導光部材の表面積）を実現することができる。この結果、光取り出し効率（＝導光部材から放射される光量÷光源から放射される光量）を向上させることができる。
【００５７】
したがって、大きな光利用効率を有する光源モジュール１０を実現することが可能となる。
【００５８】
また、本実施の形態の導光部材１に形成された放射部材２・１２は、導光部材１における長手方向のいずれの断面においても、ｘ方向の寸法が一定となっている。したがって、本実施の形態の光源モジュール１０を複数並べて面光源とした場合、発光面内の照度を均一にすることができる。以上により、従来よりも光利用効率の大きな光源モジュール、及び、これを利用した照明装置を提供することができる。
【００５９】
尚、この線状の導光部材１を複数横並べにして面光源とする場合には、放射部材２・１２は、例えば、導光部材１の長手方向の軸に対して対称に設けられているか、又は一対の印刷パターン２ａ・２ｂのベクトルを考えたときに、印刷パターン２ａ・２ｂの長さが互いに等しく、かつ導光部材１の幅方向（ｘ方向）成分の和が０になることが好ましい。これにより、隣接導光部材１間において、照度を均一にすることが可能となる。
【００６０】
上記の構成を有する本実施の形態の光源モジュール１０において、図２に示す放射部材１２を有する光源モジュール１０における光取り出し効率（＝導光部材から放射される光量÷光源から放射される光量）のシミュレーション結果を、図３に示す。
【００６１】
尚、光取り出し効率（＝導光部材から放射される光量÷光源から放射される光量）のシミュレーションでは、実施例１と実施例２との２種類のシミュレーションを行った。実施例１と実施例２との両方共、導光部材１の幅方向（ｘ方向）に平行に延在する印刷パターン１２ｂ…のパターン本数を３５９本であるとすると共に、長さ方向（ｙ方向）に平行に延在する印刷パターン１２ａのパターン本数は、実施例１では５本とし、実施例２では９本とした。
【００６２】
その結果、図３に示すように、実施例１の光利用効率は８９．８％であり、実施例２の光利用効率は９１％であった。
【００６３】
また、比較例として、図２に示した放射部材２が幅方向（ｘ方向）に平行に延在する印刷パターン１２ｂだけで構成し、印刷パターン１２ａを使用しなかった場合のシミュレーション結果を、図３に示した。比較例１は、導光部材１の光取り出し面（上面１ａ）のみに幅方向（ｘ方向）に平行に延在する印刷パターン１２ｂを３５９本形成した場合である。また、比較例２は導光部材１の光取り出し面（上面１ａ）とその反対側の面（下面１ｂ）との両側に幅方向（ｘ方向）に平行に延在する印刷パターン１２ｂを３５９本それぞれ形成した場合の結果である。
【００６４】
その結果、比較例１の光利用効率は８４．９％であり、比較例２の光利用効率は８６．８％であることがわかった。
【００６５】
この確認実験から、図２に示す本実施の形態の放射部材１２を用いることによって、大きな光取り出し効率を実現することができることが判明した。
【００６６】
尚、実施例１と比較して、実施例２の光取り出し効率が大きい理由は、パターン占有率（パターン面積÷導光部材の表面積）の違いによるものである。すなわち、実施例１においては、図２において長さ方向（ｙ方向）に平行に延在する印刷パターン１２ａが５本であるのに対して、実施例２においては、印刷パターン１２ａの本数は９本になっている。したがって、パターン占有率が４３．５％から６０．９％と増加することとなり、光取り出し効率が大きくなる。
【００６７】
また、実施例１と比較例２とでは、パターン占有率が同じであるにも関わらず、実施例１の方が光取り出し効率が大きくなっていることがわかる。この理由は、今回使用した印刷パターン１２ａ・１２ｂの透過率が大きいためである。透過率が大きい場合は、比較例２のように、導光部材１の下面１ｂに印刷パターン１２ｂがあると、散乱された光は導光部材１の下面１ｂに配置された図示しない反射部材による吸収を多く受けることとなる。したがって、実施例１のように光取り出し面の１つの面にパターンを形成してパターン占有率を大きくした方が、光取り出し効率を大きくすることが可能となる。
【００６８】
尚、本実施の形態において、導光部材１の下面１ｂに、上述した図示しない反射板を配置するのが好ましい。この理由は、導光部材１の下面１ｂから出てきた光を上面１ａに反射させ、上面１ａの照度を大きくするためである。
【００６９】
さらに、本実施の形態では、光源４を発光ダイオードにて構成している。ただし、必ずしもこれに限らず、例えば、発光ダイオードに替えてレーザダイオードにて構成してもよく、さらに、それ以外の発光素子としてもよい。
【００７０】
また、光源４は、放射される光を効率よく導光部材１に結合させるための反射部品（リフレクタ）３を含んでおり、例えば４５°の角度を有する形状をしているが、光源４から放射される光を効率よく導光部材１に結合できる形状で有ればよく、他の形状を用いても差し支えない。
【００７１】
また、本実施の形態では、線状の放射部材２・１２についてのみの説明を行ったが、必ずしもこれに限らず、例えば、図５に示す従来の面光源装置２００において、光源２０１を中心とする半径方向に筋状の導光部材を形成し、この筋状の導光部材が拡散パターン素子２１１ａと直交するように設けることが可能である。これにより、本実施の形態に係る筋状の導光部材を面光源装置に適用することが可能となる。
【００７２】
さらに、本実施の形態の放射部材２を用いた光源モジュール１０は、液晶テレビ用のバックライト、コピー、スキャナ等に用いられる画像読み取り用光源、コピー、プリンタ等感光体上の電荷を光により制御する除電等の光源、インテリア用薄型光源、誘導灯等、その他の光源に幅広く用いることができる。
【００７３】
このように、本実施の形態の光源モジュール１０は、導光部材１と、この導光部材１の少なくとも一方の端面から導光部材１の内部へ光を入射させる光源４とを備えている。導光部材１の上面１ａにおける少なくとも一部分には、導光部材１材の内部に入射され、かつ導光部材１の内部で拡散された光を導光部材１の上面１ａから放射させる筋状の放射部材２が、導光部材１において光源４側の端部から遠ざかるに伴って高密度となるように複数配されている。筋状の放射部材２は、少なくとも２種類の異なる方向に延びて設けられ、かつ互いに交差する印刷パターン２ｂ（又は印刷パターン１２ｂ）と印刷パターン２ａ（又は印刷パターン１２ａ）とから構成されている。
【００７４】
これにより、光源４は、導光部材１の少なくとも一方の端面から導光部材１の内部へ光を入射させる。導光部材１の内部に入射した光は、導光部材１の内部を反射しながら拡散すると共に、筋状の放射部材２を通して放射部材２の表面から放射する。尚、本実施の形態では、筋状の放射部材２にて反射された光は導光部材１の裏面から放射される。
【００７５】
ここで、光源４から遠ざかる領域においては筋状の放射部材２から放射される光の光量が不足する。本実施の形態では、この光量不足を解消するために、筋状の放射部材２は、導光部材１において光源４側の端部から遠ざかるに伴って高密度となるように複数配されている。これにより、ある程度は、導光部材１の照度分布の均一化を図ることができるが、十分ではない。
【００７６】
本実施の形態では、筋状の放射部材２は、少なくとも２種類の異なる方向に延びて設けられ、かつ互いに交差する印刷パターン２ｂ（又は印刷パターン１２ｂ）と印刷パターン２ａ（又は印刷パターン１２ａ）とから構成されている。
【００７７】
これにより、印刷パターン２ｂ（又は印刷パターン１２ｂ）と印刷パターン２ａ（又は印刷パターン１２ａ）との少なくとも一方は、光源４から遠ざかる方向の成分を有して延びていることになる。
【００７８】
この結果、従来では、導光部材１において光源４側の端部から遠ざかるに伴って高密度となるように複数配する場合に、離散的に配していたので、導光部材１の照度分布もどうしても離散的であり、均一化に不十分であったのに対して、本実施の形態では、離散部分を埋めるように筋状の放射部材２から放射される。
【００７９】
この結果、従来に比べて、導光部材１の照度分布の均一化を図ることができる。また、導光部材１における筋状の放射部材２の占める割合（パターン占有率）を増加させることができるため、光取り出し効率を向上させることが可能となり、高照度化を図ることができる。
【００８０】
したがって、導光部材１における照度分布の一層の均一化及び高照度化を図り得る光源モジュール１０を提供することができる。
【００８１】
また、本実施の形態の光源モジュール１０では、導光部材１は、線状に形成されていると共に、導光部材１における印刷パターン２ｂと印刷パターン２ａとは、互いに斜めに交差するように配されているとすることができる。
【００８２】
これにより、線状の導光部材１において、印刷パターン２ｂと印刷パターン２ａとが例えばＸ字状又はＶ字状に配されていることになる。この結果、印刷パターン２ｂと印刷パターン２ａとは、光源４から遠ざかる方向の成分を有して延びていることになる。
【００８３】
したがって、従来に比べて、導光部材の照度分布の均一化を図ることができる。また、導光部材における筋状の放射部材２の占める割合（パターン占有率）を増加させることができるため、光取り出し効率を向上させることが可能となり、高照度化を図ることができる。
【００８４】
また、本実施の形態の光源モジュール１０では、印刷パターン２ｂ（又は印刷パターン１２ｂ）と印刷パターン２ａ（又は印刷パターン１２ａ）とは、互いに直交するように配されているとすることができる。
【００８５】
尚、このような場合として、例えば、印刷パターン２ｂと印刷パターン２ａとがＸ字状又はＶ字状に配されている場合においてその挟角が９０度である場合と、例えば印刷パターン１２ｂが光源４を結ぶ方向に対して直交して配されると共に、印刷パターン１２ａが印刷パターン１２ｂに直交して配される場合とである。
【００８６】
このように、放射部材２・１２の延在方向を直交させて格子状とすれば、直交していない場合と比較して、光の導光方向において印刷パターン２ｂ（又は印刷パターン１２ｂ）と印刷パターン２ａ（又は印刷パターン１２ａ）のピッチをより細かく制御することが可能となる。
【００８７】
したがって、導光部材１における照度分布の一層の均一化及び高照度化を図り得る光源モジュール１０を提供することができる。
【００８８】
また、本実施の形態の光源モジュール１０では、導光部材１は、線状に形成されていると共に、導光部材１における印刷パターン１２ｂは、導光部材１の長手方向に対して直交するように設けられている一方、印刷パターン１２ａは、印刷パターン１２ｂと直交するように設けられているとすることができる。つまり、印刷パターン１２ｂは、導光部材１の長手方向に平行に設けられている。
【００８９】
これにより、印刷パターン１２ｂは、従来のように導光部材１の長手方向に対して直交するように設けられている一方、印刷パターン１２ａは、印刷パターン１２ｂと直交するように設けられている。
【００９０】
したがって、従来の構成に比べて、確実に、導光部材１における照度分布の一層の均一化及び高照度化を図り得る光源モジュール１０を提供することができる。
【００９１】
また、本実施の形態の光源モジュール１０では、印刷パターン１２ａ…は、線状に形成された導光部材１において、導光部材１の長手方向に平行に複数設けられている。
【００９２】
これにより、導光部材１における印刷パターン１２ａ…の占める割合（パターン占有率）を増加させることができるため、光取り出し効率を向上させることが可能となり、高照度化を図ることができる。
【００９３】
尚、この場合、複数の印刷パターン１２ａ…は、導光部材１の幅方向（ｘ方向）に均等配分されていること好ましい。これにより、導光部材１の幅方向（ｘ方向）において、照度の均一化を測ることができる。
【００９４】
また、本実施の形態の光源モジュール１０では、導光部材１は、断面四角形状に形成されていると共に、放射部材２は、導光部材１の長手方向に沿う１つの表面である上面１ａに設けられている。
【００９５】
これにより、断面四角形状の導光部材１の上面１ａに放射部材２を印刷して設ける場合に、例えば一回の印刷にて光取り出し効率の大きな光源モジュール１０を実現することができる。
【００９６】
また、本実施の形態の光源モジュール１０では、導光部材１の下面１ｂには、図示しない反射板が設けられているとすることができる。
【００９７】
これにより、導光部材１の下面１ｂから出てきた光を、再度、導光部材１の上面１ａ側に反射させることにより、導光部材１の上面１ａでの照度を大きくすることができる。
【００９８】
また、本実施の形態の照明装置は、本実施の形態の光源モジュール１０を用いている。これにより、導光部材１における照度分布の一層の均一化及び高照度化を図り得る光源モジュール１０を用いた照明装置を提供することができる。
【産業上の利用可能性】
【００９９】
本発明の光源モジュールは、液晶テレビ用のバックライト、及び複写機、スキャナ等に用いられる画像読み取り用光源、並びに複写機、プリンタ等の感光体上の電荷を光により制御する除電等の光源、インテリア用薄型光源、誘導灯等、その他の光源に幅広く用いることができる。
【符号の説明】
【０１００】
１      導光部材
１ａ    上面（表面）
１ｂ    下面（裏面）
２      放射部材
２ａ    印刷パターン（第２筋状放射部材）
２ｂ    印刷パターン（第１筋状放射部材）
３      反射部品
４      光源
１０      光源モジュール
１２      放射部材
１２ａ    印刷パターン（第２筋状放射部材）
１２ｂ    印刷パターン（第１筋状放射部材）
【図１】
2010257768.tif 000003
【図２】
2010257768.tif 000004
【図３】
2010257768.tif 000005
【図４】
2010257768.tif 000006
【図５】
2010257768.tif 000007